(57)【要約】【課題】  人手又は車両等によって持ち運びが可能であり、測定条件、及び測定結果等を迅速に知らせることができる水質測定技術を提供する。【解決手段】  持ち運び可能な水質測定システムであって、水質測定を行う水質測定部１０１、水質測定実施に関連する情報を取得する制御記憶部１０３、水質測定の結果、水質測定実施の場所、及び水質測定実施に関連する情報を取得して送信可能な電子データに変換する電子データ化手段１０５、送信可能な電子データに変換した水質測定の結果、水質測定実施の場所、及び水質測定実施に関連する情報を送信する送信手段１０６、を有する水質測定システム。【選択図】  図１
2006300870.tif 000002
【特許請求の範囲】
【請求項１】
持ち運び可能な水質測定システムであって、
水質測定を行う水質測定部と、
前記水質測定実施に関連する情報を取得する制御記憶部と、
前記水質測定の結果、前記水質測定実施の場所、及び前記水質測定実施に関連する情報を取得して送信可能な電子データに変換する電子データ化手段と、
前記送信可能な電子データに変換した、前記水質測定の結果、前記水質測定実施の場所、及び前記水質測定実施に関連する情報を送信する送信手段と、を有することを特徴とする水質測定システム。
【請求項２】
前記水質測定実施に関連する情報は、水質測定実施の日時、水質測定実施を行った者の氏名、水質測定実施を行った者の属性、水質測定の条件、及び水質測定の方法、の中から選択可能なことを特徴とする請求項１に記載の水質測定システム。
【請求項３】
前記水質測定の条件は、水温、気温、測定日時、及び測定期間、の中から選択可能なことを特徴とする請求項２に記載の水質測定システム。
【請求項４】
前記水質測定システムは全地球測位システムを有しており、前記水質測定実施の場所は当該全地球測位システムにより取得することを特徴とする請求項１〜３に記載の水質測定システム。
【請求項５】
前記水質測定システムは生体認証装置を有しており、前記水質測定実施を行った者の氏名、及び水質測定実施を行った者の属性は、当該生体認証装置により取得することを特徴とする請求項２〜４に記載の水質測定システム。
【請求項６】
前記水質測定システムは、バーコード、磁性記録媒体、ＩＣカード、又はＩＣタグの読取装置を有しており、前記水質測定実施を行った者の氏名、及び水質測定実施を行った者の属性は、当該バーコード、磁性記録媒体、ＩＣカード、又はＩＣタグの読取装置により取得することを特徴とする請求項２〜４に記載の水質測定システム。
【請求項７】
前記水質測定システムは、前記水質測定の条件の入力を受け付けるスイッチ類を有しており、
前記制御記憶部は前記スイッチ類に対する前記水質測定の条件の入力を常時把握し、且つ、水質測定時における前記水質測定の条件を電子的に記憶することを特徴とする請求項２〜６に記載の水質測定システム。
【請求項８】
前記水質測定システムは、バーコード、磁性記録媒体、ＩＣカード、又はＩＣタグの読取装置を有しており、
前記水質測定部が水質測定を行う際に用いる、試薬、及び試験紙のＩＤ情報を、前記バーコード、磁性記録媒体、ＩＣカード、又はＩＣタグの読取装置により取得し、当該ＩＤ情報に対応する試薬、及び試験紙の製品情報を試薬データベースから取得する試薬認識手段を有していることを特徴とする請求項１〜７に記載の水質測定システム。
【請求項９】
前記水質測定システムは、バーコード、磁性記録媒体、ＩＣカード、又はＩＣタグの読取装置を有しており、
前記水質測定部が水質測定を行う際に用いる、試薬、及び試験紙の製品情報を、前記バーコード、磁性記録媒体、ＩＣカード、又はＩＣタグの読取装置から取得する試薬認識手段を有していることを特徴とする請求項１〜７に記載の水質測定システム。
【請求項１０】
前記水質測定システムは、前記試薬認識手段が前記試薬、及び試験紙の製品情報から、当該試薬、及び試験紙の使用期限を取得し、
前記制御記憶手段が、当該使用期限と、当該水質測定システムに内蔵する時計による現在日時とを比較して、使用する試薬、及び試験紙が使用期限内であるかを判定することを特徴とする請求項８又は９に記載の水質測定システム。
【発明の詳細な説明】
【技術分野】
【０００１】
本発明は、水質を測定する水質測定システムに係り、特に、人手又は車両等によって持ち運びが可能な水質測定システムに関するものである。
【背景技術】
【０００２】
水質検査を業とする会社に属する測定担当者が国や自治体又は企業等の依頼者の依頼に基づいて現場において水質測定を行い、測定結果を依頼者に報告する場合、通常、測定担当者は現場で所望の測定を行い、その測定データを自らの事業所等に持ち帰り、測定データを整理して、測定日時、測定場所、測定条件、及び測定担当者・責任者といった測定データ自体以外の付加情報を付して、報告書の形式にまとめ、書面または電子データによる報告書を依頼者に送付する。
【０００３】
依頼者が国や自治体である場合には、報告書の全部又は一部を、加工して、又は加工せずに、自らのホームページに掲載してインターネットを通じて住民に公開したり、国や自治体の発行する発行物を通して住民に知らせたりする。
【０００４】
このような場合、水質測定から報告書送付まで、さらに住民への公開・周知までに相当の時間がかかる。したがって実際に現場付近に住む住民が測定データを知り得るまでに漁業や農作における被害を被ったり、井戸水を生活用水として継続的に使用しているような場合には健康被害を被ったりする可能性がある。
【０００５】
近隣の環境異常に関する情報を取得することができ、迅速に予防措置をとることができる環境汚染監視システムであって、その情報として水質についての情報を含む環境汚染監視システムの例としては、住宅地域や工場、オフィス等における環境汚染を監視して、必要な通報を行うことができるようにする技術が開示されている。この技術では、継続的な監視が目的であることから、環境に関するデータを取得するセンサはある場所に固定的に設置されていることが必然であり、かつ前提である。また、この技術では、センサはある場所に固定的に設置されていることから、測定場所、測定条件、及び測定担当者・責任者である設置者は既知であり、基本的にセンサは出力データのみを環境状態監視装置等に送信し、環境状態監視装置等で出力データと基準値を比較し、必要に応じて通報を行うものである(例えば、特許文献１参照。)。
【０００６】
この技術における環境汚染監視システムは、固定された点での環境異常に関する情報を迅速に通報することが目的で、例えば、上水道管でのある決まった点での水質を継続的に測定して、もし異常があれば、上水道管中の水を飲用する可能性のある住民等に即座に警報を出すような使い方にとっては有効である。
【０００７】
しかし、非定常的に、ある現場に人手又は車両等によって持ち運びが可能な水質測定システムを持ち込んで水質を測定する場合には適用できない。
【０００８】
また、電力モニタ、及び環境センサ等から得られた計測データをインターネット、又はイントラネット上のパソコンで容易に確認できる環境監視システムが開示されている (例えば、特許文献２参照。)。しかし所定の領域における環境の状態を計測する環境センサ、及びこの環境センサで計測した環境データを定期的に取り込む構成を有しており、同様に、非定常的に、ある現場に人手又は車両等によって持ち運びが可能な水質測定システムを持ち込んで水質を測定する場合には適用できない。
【０００９】
なお、水質測定としては、全窒素、全りん、ＣＯＤ、ｐＨ、溶存酸素濃度、導電率、塩分、全溶存固形物量、比重、濁度、酸化還元電位、残留塩素濃度、各種イオン濃度、及び糖度などが考えられる。
【００１０】
また、持ち運びが可能な水質測定システムとしては、小型の水質分析装置類、センサ類、メータ類、試薬や試験紙を内包した測定機器類などがあり、その測定原理は、化学反応、電気化学反応、光の吸収や散乱、電気伝導など様々である。具体的な製品の例としては、ポータブル全窒素・全りん計、携帯ＣＯＤ計（以上、株式会社テックジャム）、簡易水質検査器（柴田科学株式会社）、ｐＨ計、溶存酸素計、導電率計、塩分計、濁度計、イオン電極、糖度計といったものや、これらのうちのいくつかの機能を兼ねた、マルチ水質モニタリングシステム（株式会社  堀場製作所）、多項目水質計（オルガノ株式会社）などがある。
【００１１】
その用途は、水質検査を業とする会社に属する測定担当者が国や自治体又は企業等の依頼に基づいて、又は公的な研究機関に属する研究者が自らの目的の為に、海洋、河川・湖沼、ダム、プール、井戸水・地下水、都市下水、工業用水、工場下水、農業用水、養殖場などの現場に赴いて、測定対象とすべき水の水質を測定・分析し、検査することが主である。
【特許文献１】特開２００３−９９１２２号公報
【特許文献２】特開２００１−２１５９３号公報
【発明の開示】
【発明が解決しようとする課題】
【００１２】
本発明は、人手又は車両等によって持ち運びが可能であり、測定条件、及び測定結果等を迅速に知らせることができる水質測定技術を提供することを目的とする。
【課題を解決するための手段】
【００１３】
そこで、上課題を解決するために、請求項１に記載の発明は、持ち運び可能な水質測定システムであって、水質測定を行う水質測定部と、前記水質測定実施に関連する情報を取得する制御記憶部と、前記水質測定の結果、前記水質測定実施の場所、及び前記水質測定実施に関連する情報を取得して送信可能な電子データに変換する電子データ化手段と、前記送信可能な電子データに変換した前記水質測定の結果、前記水質測定実施の場所、及び前記水質測定実施に関連する情報を送信する送信手段と、を有することを特徴とする。
【００１４】
また、請求項２に記載の発明は、前記水質測定実施に関連する情報は、水質測定実施の日時、水質測定実施を行った者の氏名、水質測定実施を行った者の属性、水質測定の条件、及び水質測定の方法、のうちいずれかを選択可能なことを特徴とする。
【００１５】
また、請求項３に記載の発明は、前記水質測定の条件は、水温、気温、測定日時、及び測定期間、のうちいずれかを選択可能なことを特徴とする。
【００１６】
また、請求項４に記載の発明は、前記水質測定システムは全地球測位システムを有しており、前記水質測定実施の場所は当該全地球測位システムにより取得することを特徴とする。
【００１７】
また、請求項５に記載の発明は、前記水質測定システムは生体認証装置を有しており、前記水質測定実施を行った者の氏名、及び水質測定実施を行った者の属性は、当該生体認証装置により取得することを特徴とする。
【００１８】
また、請求項６に記載の発明は、前記水質測定システムは、バーコード、磁性記録媒体、ＩＣカード、又はＩＣタグの読取装置を有しており、前記水質測定実施を行った者の氏名、及び水質測定実施を行った者の属性は、当該バーコード、磁性記録媒体、ＩＣカード、又はＩＣタグの読取装置により取得することを特徴とする。
【００１９】
また、請求項７に記載の発明は、前記水質測定システムは、前記水質測定の条件の入力を受け付けるスイッチ類を有しており、前記制御記憶部は前記スイッチ類に対する前記水質測定の条件の入力を常時把握し、且つ、水質測定時における前記水質測定の条件を電子的に記憶することを特徴とする。
【００２０】
また、請求項８に記載の発明は、前記水質測定システムは、バーコード、磁性記録媒体、ＩＣカード、又はＩＣタグの読取装置を有しており、前記水質測定部が水質測定を行う際に用いる、試薬、及び試験紙のＩＤ情報を、前記バーコード、磁性記録媒体、ＩＣカード、又はＩＣタグの読取装置により取得し、当該ＩＤ情報に対応する試薬、及び試験紙の製品情報を試薬データベースから取得する試薬認識手段を有していることを特徴とする。
【００２１】
また、請求項９に記載の発明は、前記水質測定システムは、バーコード、磁性記録媒体、ＩＣカード、又はＩＣタグの読取装置を有しており、前記水質測定部が水質測定を行う際に用いる、試薬、及び試験紙の製品情報を、前記バーコード、磁性記録媒体、ＩＣカード、又はＩＣタグの読取装置から取得する試薬認識手段を有していることを特徴とする。
【００２２】
また、請求項１０に記載の発明は、前記水質測定システムは、前記試薬認識手段が前記試薬、及び試験紙の製品情報から、当該試薬、及び試験紙の使用期限を取得し、前記制御記憶手段が、当該使用期限と、当該水質測定システムに内蔵する時計による現在日時とを比較して、使用する試薬、及び試験紙が使用期限内であるかを判定することを特徴とする。
【００２３】
請求項１に記載の発明では、水質測定システムを持ち運べる場所であれば、当該場所の水質を測定して、この結果を電子データ化して測定依頼者等の、測定結果を伝えるべき相手に対して即座に水質測定結果を通知することが可能である。
【００２４】
なお、送信手段では、データをそのまま相手に電子メールで送信してもよいし、相手の求める形式にデータを編集してから相手に電子メールで送信してもよいし、相手が閲覧可能なＷｅｂページにデータを掲載して相手がパソコンなどに搭載されたブラウザを用いてＷｅｂページを閲覧してもよいし、又はＷｅｂページからデータをダウンロードしてもよい。
【００２５】
請求項２に記載の発明では、送信する水質測定実施に関連する情報について選択可能となる。
【００２６】
請求項３に記載の発明では、送信する水質測定の条件について選択可能となる。
【００２７】
請求項４に記載の発明では、水質測定実施の場所を全地球測位システムによって取得することが可能となる。
【００２８】
請求項５に記載の発明では、水質測定実施を行った者の氏名、及び水質測定実施を行った者の属性は、生体認証装置により取得することが可能となる。
【００２９】
請求項６に記載の発明では、水質測定実施を行った者の氏名、及び水質測定実施を行った者の属性は、バーコード、磁性記録媒体、ＩＣカード、又はＩＣタグの読取装置により取得することが可能となる。
【００３０】
請求項７に記載の発明では、制御記憶部は、水質測定の条件の入力を常時把握し、水質測定時における水質測定の条件を電子的に記憶することが可能となる。
【００３１】
請求項８に記載の発明では、水質測定部が水質測定を行う際に用いる、試薬、及び試験紙のＩＤ情報を、バーコード、磁性記録媒体、ＩＣカード、又はＩＣタグの読取装置により取得し、ＩＤ情報に対応する試薬、及び試験紙の製品情報を試薬認識手段が試薬データベースから取得することが可能となる。
【００３２】
請求項９に記載の発明では、水質測定部が水質測定を行う際に用いる、試薬、及び試験紙の製品情報を、試薬認識手段がバーコード、磁性記録媒体、ＩＣカード、又はＩＣタグの読取装置により取得することが可能となる。
【００３３】
請求項１０に記載の発明では、試薬認識手段が試薬、及び試験紙の製品情報から、試薬、及び試験紙の使用期限を取得し、制御記憶手段が、使用期限と、水質測定システムに内蔵する時計による現在日時とを比較して、使用する試薬、及び試験紙が使用期限内であるかを判定することが可能となる。
【発明の効果】
【００３４】
請求項１に記載の発明によれば、従来の技術では実現できなかった、人手又は車両等によって持ち運びが可能であり、測定条件、及び測定結果等を迅速に知らせることができる水質測定技術を提供することが可能となる。
【００３５】
請求項２に記載の発明によれば、水質測定依頼者の求める情報をのみを選択して水質測定依頼者に送信することが可能であり、又は水質測定結果を知る必要がある住民の方々にとって必要と判断される情報を選択手して住民の方々に知らせることが可能となる。
【００３６】
請求項３に記載の発明によれば、水質測定依頼者の求める情報のみを選択して水質測定依頼者に送信することが可能であり、又は水質測定結果を知る必要がある住民の方々にとって必要と判断される情報を選択手して住民の方々に知らせることが可能となる。
【００３７】
請求項４に記載の発明によれば、簡易かつ正確に水質測定実施の場所を取得することが可能となる。
【００３８】
請求項５に記載の発明によれば、簡易かつ正確に水質測定実施を行った者の氏名、及び水質測定実施を行った者の属性を取得することが可能となる。
【００３９】
請求項６に記載の発明によれば、簡易かつ正確に水質測定実施を行った者の氏名、及び水質測定実施を行った者の属性を取得することが可能となる。
【００４０】
請求項７に記載の発明によれば、水質測定の条件について正確な情報を得ることが可能となる。
【００４１】
請求項８に記載の発明によれば、簡易かつ正確に試薬、及び試験紙の製品情報を取得することが可能となる。
【００４２】
請求項９に記載の発明によれば、簡易かつ正確に試薬、及び試験紙の製品情報を取得することが可能となる。
【００４３】
請求項１０に記載の発明によれば、使用する試薬、及び試験紙が使用期限内であるかを判定するので、使用期限外の試薬、及び試験紙が水質測定に用いられて不正確な水質測定が実施される事態を防止することが可能となる。
【発明を実施するための最良の形態】
【００４４】
以下、本発明の実施形態を図面を用いて説明する。
【００４５】
(実施形態１)
図１は、水質測定システムの構成を示すブロック図である。図１に示すように、水質測定システムは、本体１、及び全地球測位システム２を備えており、持ち運びが可能な本体１は、水質測定部１０１、表示部１０２、制御記憶部１０３、スイッチ類１０４、電子データ化手段１０５、及び送信手段１０６を有している。
【００４６】
このような構成の水質測定システムにおいて、スイッチ類１０４に対する測定開始指示により、スイッチ類１０４の示す測定条件のもと、制御記憶部１０３が水質測定部１０１に測定を開始させる。
【００４７】
測定開始指示は、スイッチ類１０４を測定者が操作して行ってもよいし、例えば、水質測定システムの外部からネットワークを介して行ってもよい。
【００４８】
制御記憶部１０３は、スイッチ類１０４の示す測定条件についての情報を取得する手段として、測定条件を変化させるスイッチ類１０４の状態を常時把握し、且つ、測定時におけるスイッチ類１０４の状態を電子的に記憶する手段を有する。
【００４９】
水質測定部１０１は測定値についての情報を制御記憶部１０３に送る。
【００５０】
表示部１０２は、必要に応じてスイッチ類１０４の示す測定条件及び水質測定部１０１が制御記憶部１０３に送る測定値についての情報の一部又は全部を表示する。
【００５１】
本実施形態では、測定時における測定場所についての情報を自ら取得する手段として、全地球測位システム２が水質測定システムの本体１に接続されている。全地球測位システム２は、測定時における測定場所についての情報を電子データ化手段１０５に送る。全地球測位システム２と水質測定システムの本体１との接続は、測定時における測定場所についての情報を送ることが可能な接続形態であればよく、有線か無線かは問わない。
【００５２】
電子データ化手段１０５は、制御記憶部１０３を介して送られるスイッチ類１０４の示す測定条件及び水質測定部１０１の示す測定値についての情報、並びに全地球測位システム２が送る測定時における測定場所についての情報を、各々又は統合して、送信可能な電子データにする。
【００５３】
電子データ化された測定についての情報は、送信手段１０６によって、逐一、又は、所定の時間に、水質測定システムの外部に送信する。
【００５４】
例えば、送信手段１０６を電子メールの送信手段とし、送信の宛先を所望の相手の電子メールアドレスとすることによって、電子データ化された測定についての情報を、直接、即座に正確に測定依頼者等の所望の相手に伝達する。
【００５５】
又は、送信手段１０６を、電子データ化された測定についての情報を所定のサーバへ送信する送信手段とし、サーバにおいて所望の相手の求める形式に編集した後に、相手に電子メールにて送信することにより、測定についての情報を、直接、即座に正確に測定依頼者等の所望の相手に伝達する。
【００５６】
又は、送信手段１０６を、電子データ化された測定についての情報を所定のサーバへ送信する送信手段とし、サーバにおいて、相手が閲覧可能なＷｅｂページに掲載して、相手がパソコンなどに搭載されたブラウザを用いてＷｅｂページを即座に閲覧することにより、若しくはＷｅｂページから即座にダウンロードすることにより、測定についての情報を、即座に正確に測定依頼者等の所望の相手に伝達する。
【００５７】
なお、測定依頼者の判断により、測定についての情報を即座に公開することも可能である。即座に公開する方法としては、例えば、測定についての情報の入った電子ファイルを、インターネットでの公開用サイトに即座にアップロードする方法や、又は、公開用サイトから、Ｗｅｂページに一部リンクを張る方法が考えられる。
【００５８】
(実施形態２)
図２は、水質測定システムの構成を示すブロック図である。図２において、測定者や測定責任者といった測定担当者３のＩＤ情報は、磁気記録媒体である磁気記録カード４０１に予め記録されており、磁気記録カード４０１の読み取り装置である磁気記録カードリーダ４０２によって、測定担当者３のＩＤ情報を読み取ることが出来る。
【００５９】
読み取ったＩＤ情報は、照合装置４０３によって測定担当者データベース４０４に格納された測定担当者３の氏名、及び属性を示すデータと照合される。本実施形態では、照合装置４０３は、水質測定システムの本体１に有線又は無線で接続されており、測定担当者３の氏名及び属性の一方又は両方についての情報を電子データ化手段１０５に送る。
【００６０】
電子データ化手段１０５は、制御記憶部１０３を介して送られるスイッチ類１０４の示す測定条件及び水質測定部１０１の示す測定値についての情報、並びに測定担当者３の氏名及び属性の一方又は両方についての情報を、各々、又は統合して、送信可能な電子データにする。
【００６１】
本実施形態では、測定担当者３のＩＤ情報は磁気記録媒体である磁気記録カード４０１に予め記録されていることとしたが、バーコード、ＩＣカード、又はＩＣタグといったデータキャリアを用いればよい。
【００６２】
一般に、磁気記録カードよりも記録容量の大きいＩＣカード又はＩＣタグを用いた場合には、ＩＣカード又はＩＣタグ自体が測定担当者の氏名及び属性を記録していてもよく、その場合、照合装置４０３及び測定担当者データベース４０４は必ずしも必要ない。
【００６３】
又は、測定担当者３の指紋などの身体的特徴を読み取って測定担当者３の氏名や属性を認証する生体認証装置が水質測定システムの本体１に内蔵又は接続されるという形態をとっても、測定担当者３の氏名及び属性の一方又は両方についての情報を取得するという目的は達せられる。
【００６４】
(実施形態３)
図３は、水質測定システムの構成を示すブロック図である。図３に示すように、本体１は、水質測定部１０１、表示部１０２、制御記憶部１０３、スイッチ類１０４、電子データ化手段１０５、及び送信手段１０６に加えて、ＩＣタグリーダ１０７、試薬認識手段１０８、試薬データベース１０９、検量線データ１１０、及び時計１１１を有している。
【００６５】
水質測定部１０１は、試薬の入った試薬パッケージ１０１１、反応部１０１３、色読み取り手段１０１４、及び測定値導出手段１０１５を有している。
【００６６】
水試料に含まれる測定対象成分の濃度を測定値として得る場合、反応部１０１３において、反応部１０１３に導入された水試料に含まれる測定対象成分と、試薬パッケージ１０１１から注入された試薬とが化学的に反応することによって、特定の反応色を呈し、この反応色の濃さを示す値を色読み取り手段１０１４によって読み取って、測定値導出手段１０１５に送り、測定値導出手段１０１５において反応色の濃さから測定対象成分の濃度を測定値として導出する。
【００６７】
なお、本実施形態では、測定値導出手段１０１５は水質測定部１０１の中に組み込まれているが、制御記憶部１０３に組み込まれる構成をとってもよい。また、測定値導出手段１０１５は、反応色の濃さと濃度との関係を示す検量線データ１１０を参照して測定値である濃度を導出してもよいし、検量線データ１１０を予め内蔵してもよい。
【００６８】
色読み取り手段１０１４及び測定値導出手段１０１５の具体的な例としては、吸光光度計の原理を用いるもので、光源部として発光ダイオード、検出部としてフォトダイオードを有する構成があり、発光ダイオードから発せられた光を反応部に照射し、照射した光のうち反応部を透過した透過光をフォトダイオードで検出し、反応色の濃さを示す値として、検出された透過光の強度を電気信号として取り出し、測定値導出手段１０１５は、透過光の強度を示す電気信号から、照射した光のうち反応部で吸収された度合いを示す値である吸光度を算出し、吸光度から測定対象成分の濃度を導出する。
【００６９】
なお、発光ダイオードから発せられる光の強度のゆらぎやばらつき、又は時間を経ることによって生じる減衰が測定対象成分の測定値に影響を与えることを避けるために、通常、透過光の強度の絶対値のみから測定値を求めることはせず、例えば、反応部に水試料を導入しない状態で測った透過光の強度を参照として参照強度に対する透過光の強度の相対値から測定値を求める。
【００７０】
本実施形態では、試薬パッケージ１０１１に、試薬パッケージ１０１１の製品情報を記録した記録媒体としてＩＣタグ１０１２が貼付されている。なお、製品情報が記録されている記録媒体は、バーコード、磁性記録媒体、又はＩＣカードでもよい。製品情報としては、試薬の種類、測定対象成分の種類、使用濃度範囲、製造年月日、及び使用期限などの情報が記されている。
【００７１】
本実施形態においては、水質測定システムの本体１に内蔵されたＩＣタグリーダ１０７によって、測定に先んじて、ＩＣタグ１０１２に記録された製品情報を自動的に読み取り、試薬認識手段１０８において、試薬の種類、測定対象成分の種類、及び試薬の使用期限等を認識する。
【００７２】
ＩＣタグ１０１２に記録された製品情報が製品番号のみであるような場合など、試薬認識手段１０８は、製品番号をもとに、試薬データベース１０９に格納された試薬パッケージ１０１１のデータを検索することによって、試薬の種類、及び測定対象成分の種類など必要な試薬パッケージ１０１１についての情報を得ることも可能である。
【００７３】
試薬パッケージ１０１１についての情報は、試薬認識手段１０８から制御記憶部１０３に送られ、さらに電子データ化手段１０５に送られる。制御記憶部１０３においては、送られた試薬パッケージ１０１１の情報と、日時を示す時計１１１からの測定日の日時情報とを比較して、試薬パッケージ１０１１の使用期限が測定日を過ぎている場合に、表示部１０２に表示させたり、警告音を生じせしめたり、水質測定部１０１の測定動作を停止させたりすることによって、測定担当者に知らせることも可能である。
【００７４】
電子データ化手段１０５は、制御記憶部１０３を介して送られるスイッチ類１０４の示す測定条件についての情報、測定値導出手段１０１５の示す測定値についての情報、及び試薬認識手段１０８の示す試薬パッケージ１０１１についての情報を、各々、又は統合して、送信可能な電子データにする。
【００７５】
(結果報告書)
図４は、測定についての情報が、直接、即座に正確に測定依頼者等の所望の相手に伝達された例として、結果報告書の形式をとった例である。この例においては、測定場所、測定担当者の氏名、所属及び資格、測定条件、試薬若しくは試験紙の種類及び測定する成分、並びに試薬若しくは試験紙の使用期限についての情報を、水質測定システムが取得し、この情報に加えて、水温、気温、測定日時、測定期間、及び測定値についての情報を、水質測定システムが取得し、取得した両者の情報を合わせた情報を送信可能な電子データとする。この電子データを自社の所定のサーバに送信し、送信された電子データに含まれる測定についての情報について、所定のサーバにおいて所望の相手の求めに応じた結果報告書の形式になるように、情報の取捨選択及び編集を加え、結果報告書を電子メールにて、即座に正確に所望の相手に伝達している。
【００７６】
なお、全地球測位システムによって測位された測定場所についての情報を、自社の所定のサーバにて、地図上の位置情報として編集し、結果報告書に添付された地図ファイルとして、所望の相手に伝達することが可能である。
【図面の簡単な説明】
【００７７】
【図１】水質測定システムの構成を示すブロック図。
【図２】水質測定システムの構成を示すブロック図。
【図３】水質測定システムの構成を示すブロック図。
【図４】結果報告書の例を示す図。
【符号の説明】
【００７８】
１…本体
１０１…水質測定部
１０２…表示部
１０３…制御記憶部
１０４…スイッチ類
１０５…電子化データ手段
１０６…送信手段
１０７…ＩＣタグリーダ
１０８…試薬認識手段
１０９…試薬データベース
１１０…検量線データ
１０１１…試薬パッケージ
１０１２…ＩＣタグ
１０１３…反応部
１０１４…色読み取り手段
１０１５…測定導出手段
１１１…時計
２…全地球測位システム
３…測定担当者
４０１…磁気記録カード
４０２…磁気記録カードリーダ
４０３…照合装置
４０４…測定担当者データベース
【図１】
2006300870.tif 000003
【図２】
2006300870.tif 000004
【図３】
2006300870.tif 000005
【図４】
2006300870.tif 000006